(57)【要約】      （修正有）【課題】製造時に配線の手間がかからず、使用中に故障し難い発光装身具を提供する。【解決手段】発光装身具１は、人の頭部に固定するためのバンド部２と、バンド部に固定される透光性の装飾部４と、装飾部内に設けられてスイッチ操作により発光する発光部５とを備える発光装身具であって、発光部は、配線基板と、配線基板に配設される制御回路と、配線基板に配設され制御回路に接続されている電池及び１以上の発光素子５４と、配線基板上に配設され、装飾部の外から操作可能に配設されているスイッチ５５と、を備えて一体として構成され、発光素子は、発光素子本体と、発光素子本体から延出されているリード線５４２とを具備し、発光素子本体は、リード線によって配線基板から離れた位置に支持されていることを特徴とする。【選択図】図２
0003196449.tif 000002
【実用新案登録請求の範囲】
【請求項１】
人の頭部に固定するためのバンド部と、前記バンド部に固定される透光性の装飾部と、前記装飾部内に設けられてスイッチ操作により発光する発光部とを備える発光装身具であって、
前記発光部は、配線基板と、前記配線基板に配設される制御回路と、前記配線基板に配設され前記制御回路に接続されている電池及び１以上の発光素子と、前記配線基板上に配設され、前記装飾部の外から操作可能に配設されているスイッチと、を備えて一体として構成され、
前記発光素子は、発光素子本体と、前記発光素子本体から延出されているリード線とを具備し、
前記発光素子本体は、前記リード線によって前記配線基板から離れた位置に支持されていることを特徴とする発光装身具。
【請求項２】
前記装飾部は、内部が中空であり、且つ前記人の前後方向に平たい形状であって、前記前後方向に２つに分割された構成部品により構成され、
前記構成部品の一方であって前記人の左右方向の中央部内側に前記発光部を嵌め込むための嵌合部が形成されており、
前記発光部は、前記嵌合部に嵌め込まれることにより前記装飾部に固定される請求項１記載の発光装身具。
【請求項３】
前記発光素子は砲丸型ＬＥＤ素子であり、前記リード線が前記配線基板の基板面の面方向に伸びるように取り付けられており、
前記発光部は、前記配線基板の基板面の面方向が前記左右方向となるように前記嵌合部に嵌め込まれている請求項１又は２に記載の発光装身具。
【請求項４】
前記構成部品の他方には、前記左右方向の中央部分に前記スイッチを操作するためのスイッチ孔が形成されており、
前記スイッチは、前記配線基板の一方の面上であって前記スイッチ孔に対応する位置に配設される押しボタン型スイッチである請求項１乃至３のいずれかに記載の発光装身具。
【請求項５】
前記電池は１以上のボタン型電池であって、前記配線基板の他方の面上に積み重ねて固定されており、
前記嵌合部には、前記電池を挿入して嵌め込むための円筒形状の電池収納孔が形成されており、
前記発光部は、前記電池収納孔に前記電池を挿入して嵌め込むことにより前記装飾部に固定される請求項１乃至４のいずれかに記載の発光装身具。
【考案の詳細な説明】
【技術分野】
【０００１】
本考案は、人の頭部に装着して操作によって装飾部分が発光する発光装身具に関する。詳しくは、製造時に配線の手間がかからず、使用中に故障し難い発光装身具に関する。
【背景技術】
【０００２】
ヘアバンド等の装身具として、ＬＥＤ等の発光素子によって発光させる電気回路を備えた装身具がある（例えば特許文献１を参照。）。特許文献１に記載されている装身具は、ヘアバンドと、ヘアバンドに取り付けられた発光体内の発光素子とを備えている。そして、ヘアバンド内に電源及びスイッチを備え、電源及びスイッチと発光素子をバンド内の空間を這わせた電線で接続しており、スイッチ操作により発光素子を点灯させ、発光体を発光させることができる。
【先行技術文献】
【特許文献】
【０００３】
【特許文献１】特開平１１−２４４０３０号公報
【考案の概要】
【考案が解決しようとする課題】
【０００４】
しかし、特許文献１に示す装身具は、装身具を製造する際に、電源、スイッチ及び発光素子を電線で接続する必要が生じ、接続の分だけ製造の時間かかかるばかりでなく、接続のミスを起こす要因となった。また、電線を用いて接続されているため、使用中に故障しやすいという問題があった。
本考案は、上記のような問題に鑑み、製造時に配線の手間がかからず、使用中に故障し難い発光装身具を提供することを目的とする。
【課題を解決するための手段】
【０００５】
本考案は、以下の通りである。
１．人の頭部に固定するためのバンド部と、前記バンド部に固定される透光性の装飾部と、前記装飾部内に設けられてスイッチ操作により発光する発光部とを備える発光装身具であって、前記発光部は、配線基板と、前記配線基板に配設される制御回路と、前記配線基板に配設され前記制御回路に接続されている電池及び１以上の発光素子と、前記配線基板上に配設され、前記装飾部の外から操作可能に配設されているスイッチと、を備えて一体として構成され、前記発光素子は、発光素子本体と、前記発光素子本体から延出されているリード線とを具備し、前記発光素子本体は、前記リード線によって前記配線基板から離れた位置に支持されていることを特徴とする発光装身具。
２．前記装飾部は、内部が中空であり、且つ前記人の前後方向に平たい形状であって、前記前後方向に２つに分割された構成部品により構成され、前記構成部品の一方であって前記人の左右方向の中央部内側に前記発光部を嵌め込むための嵌合部が形成されており、前記発光部は、前記嵌合部に嵌め込まれることにより前記装飾部に固定される前記１．記載の発光装身具。
３．前記発光素子は砲丸型ＬＥＤ素子であり、前記リード線が前記配線基板の基板面の面方向に伸びるように取り付けられており、前記発光部は、前記配線基板の基板面の面方向が前記左右方向となるように前記嵌合部に嵌め込まれている前記１．又は前記２．に記載の発光装身具。
４．前記構成部品の他方には、前記左右方向の中央部分に前記スイッチを操作するためのスイッチ孔が形成されており、前記スイッチは、前記配線基板の一方の面上であって前記スイッチ孔に対応する位置に配設される押しボタン型スイッチである前記１．乃至前記３．のいずれかに記載の発光装身具。
５．前記電池は１以上のボタン型電池であって、前記配線基板の他方の面上に積み重ねて固定されており、前記嵌合部には、前記電池を挿入して嵌め込むための円筒形状の電池収納孔が形成されており、前記発光部は、前記電池収納孔に前記電池を挿入して嵌め込むことにより前記装飾部に固定される前記１．乃至前記４．のいずれかに記載の発光装身具。
【考案の効果】
【０００６】
本考案の発光装身具は、人の頭部に固定するためのバンド部と、バンド部に固定される透光性の装飾部と、装飾部内に設けられてスイッチ操作により発光する発光部とを備える発光装身具であって、発光部は、配線基板と、配線基板に配設される制御回路と、配線基板に配設され制御回路に接続されている電池及び１以上の発光素子と、配線基板上に配設され、装飾部の外から操作可能に配設されているスイッチと、を備えて一体として構成され、発光素子は、発光素子本体と、前記発光素子本体から延出されているリード線とを具備し、発光素子本体は、リード線によって配線基板から離れた位置に支持されているため、バンド部に発光のための部品を設けたり、配線等を施したりする必要がなく、バンド部に装飾部を固定するだけでよい。これによって、部品数が少なく、製造が容易であると共に、使用時の故障が少ない発光装身具とすることができる。また、装飾部の意匠を変更する度にバンド部の形状を変えたり、発光部の配線を変更したりする必要がないため、種々の意匠に容易に対応することができる。
予め作製した発光部を装飾部に配設するだけで済むため、発光部分の製造及び発光装身具の組立てを容易にすることができる。また、配線基板から離れた発光素子本体がリード線により接続及び支持されているため、発光素子を配線基板と一体に組立てることができる。また、発光素子本体が配線基板から離れた位置になっているため、発せられる光が配線基板に遮られて影を生じないように発光素子本体を配置することができ、装身具としての美観を優れたものにすることができる。
【０００７】
前記装飾部は、内部が中空であり、且つ人の前後方向に平たい形状であって、前後方向に２つに分割された構成部品により構成され、構成部品の一方であって人の左右方向の中央部内側に前記発光部を嵌め込むための嵌合部が形成されており、発光部は、前記嵌合部に嵌め込まれることにより装飾部に固定される場合は、発光部を装飾部の構成部品の一方に設けられている嵌合部に取り付けた後、構成部品の他方を被せて固定することができ、装飾部への発光部の取り付けを極めて容易にすることができる。また、光源となる発光部を装飾部の中央付近に配することができる。
前記発光素子は砲丸型ＬＥＤ素子であり、前記リード線が前記配線基板の基板面の面方向に伸びるように取り付けられており、前記発光部は、配線基板の基板面の面方向が左右方向となるように前記嵌合部に嵌め込まれている場合は、砲丸型ＬＥＤ素子がそのリード線によって十分な強度で支持される。また、装飾部全体からバランスよく光を放射させるようにすることができる。
前記構成部品の他方には、左右方向の中央部分に前記スイッチを操作するためのスイッチ孔が形成されており、スイッチは、前記配線基板の一方の面上であってスイッチ孔に対応する位置に配設される押しボタン型スイッチである場合は、使用者は装飾部の外から押しボタンスイッチを操作して、容易に発光部の発光状態を変化させることができる。
前記電池は１以上のボタン型電池であって、前記配線基板の他方の面上に積み重ねて固定されており、前記嵌合部には、電池を挿入して嵌め込むための円筒形状の電池収納孔が形成されており、前記発光部は、電池収納孔に前記電池を挿入して嵌め込むことにより前記装飾部に固定される場合は、ボタン電池が発光部を装飾部に固定する役目を兼ねることにより、別の部材を使用することなく、小型な発光部を一体に作製することができる。
【図面の簡単な説明】
【０００８】
【図１】発光装身具を説明するための正面図である。
【図２】装飾部内に、配線基板が嵌合固定されている状態を説明するための模式斜視図である。
【図３】装飾部内の配線基板を嵌合固定するための嵌合部を説明するための模式斜視図である。
【図４】配線基板を説明するための模式斜視図である。
【図５】配線基板を説明するための模式斜視図である。
【図６】配線基板を説明するための模式側面図である。
【考案を実施するための形態】
【０００９】
以下、図を参照しながら、本考案を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１０】
図１に例示するように、本発光装身具１は、装着者の頭部に発光装身具１を固定するためのバンド部２と、バンド部２に固定される透光性の装飾部４と、を備える。また、図２に例示するように、装飾部４内には、外部からのスイッチ操作により発光する発光部５が設けられている。
【００１１】
バンド部２は、人の頭部に装飾部４を固定するためのものであり、その形状、材質、大きさは特に問わない。例えば、図１に示すように、樹脂等を用いて円弧状にバンド部２を形成し、その円弧の開放端２１の間を拡げて装飾部４が頭頂付近に位置するように頭部を挟み込むことによって、発光装身具１を人の頭部に固定するようにすることができる。また、バンド部２は、鉢巻きのように、人の頭部の周方向に円状又は円弧状に固定するようにされてもよい。人の頭部と接するバンド部２の内側には、図１に示されるように突起が多数並ぶように形成した滑り止め２２を設けて、発光装身具１が脱落しにくくなるようにすることができる。
【００１２】
装飾部４は、少なくとも発光部５を収納することができるだけの空間を備えた任意意匠物である。装飾部４は、装着者の前後方向に平たい形状であって、その前後方向に２つに分割された構成部品により構成することができる。２つの構成部品は、前側の構成部品と後側の構成部品とを嵌め合わせることによって、装飾部４を構成するようにすることができる。
装飾部４内部に設けられる発光部５から発せられる光が外部に放射されるように、装飾部４は透光性（半透光性も含まれる。）の材質で形成される。装飾部４に表される意匠は特に問わず、リボン、王冠、花、動物、耳、星等を模した意匠の他、任意の意匠とすることができる。
装飾部４は、その全体が透光性であってもよいし一部分であっても良い。更に、導光板、導光棒等の導光材を用いて、発光部５から発せられる光を外部に導光してもよい。
【００１３】
バンド部２に装飾部４を固定する方法は特に問わず、例えば図２、図３に例示するように、嵌合による結合部６を設けてもよいし、ネジ止め、接着剤による接着、熱融着等により固定しても良い。更に、バンド部２及び装飾部４が一体に形成されていてもよい。
【００１４】
発光部５は、図４〜６に例示するように、配線基板５１と、配線基板５１上に配設される制御回路５２と、配線基板５１に設けられ制御回路５２に接続されている電池５３及び１以上の発光素子５４と、配線基板５１上に取り付けられ、装飾部４の外部から操作可能に配設されているスイッチ５５と、を一体に備える。
配線基板５１は、制御回路５２、電池５３、発光素子５４及びスイッチ５５を配設するための基板であり、一般的なプリント配線板を用いることができる。
【００１５】
制御回路５２は、発光素子５４の発光を制御するための回路であり、スイッチ５５による操作に対応して発光素子５４を点滅させたり、消灯させたりするための回路が形成されている。発光素子５４の点灯は常時点灯に限られず、制御回路５２により任意に制御することができる。発光及び非発光の状態をどのように制御するかは制御回路５２によるが、例えば、発光素子５４の発光、点滅、非発光の間隔を、短い間隔から長い間隔へと変化させる、又は長い間隔から短い間隔へと変化させる、一定時間が経過したら発光を停止するような制御が挙げられる。更に、発光色の異なる又は多色の発光素子５４を使用し、スイッチ操作に応じて発光色を変化させるように制御することもできる。
【００１６】
電池５３は、制御回路５２及び発光素子５４を駆動する電源であり、その種類や形状等は特に問わない。配線基板５１に搭載して発光部５を小型にするため、例えば、ボタン型電池や円筒型電池等を用いることができる。
ボタン型電池等の数も特に問わない。ボタン型電池を複数用いる場合は、電池５３を直列方向に積み重ねて接続すれば、容易に固定することができ好ましい。
【００１７】
発光素子５４は、制御回路５２によって駆動される。また、発光素子５４の種類は問わず、ＬＥＤ素子、白熱電球等を挙げることができる。これらのうち、低電流で高輝度に点灯するＬＥＤ素子が好ましい。発光素子５４としてＬＥＤ素子を用いる場合、発光素子本体５４１と、発光素子本体５４１から延出されて配線基板５１に接続固定されるリード線５４２を備え、リード線５４２は、発光素子本体５４１を十分に支えることができる強度を備えていることが好ましい。このような発光素子として、一般的な砲丸型ＬＥＤ素子を好例として挙げることができる。砲丸型ＬＥＤ素子は、パッケージから延出するリード線によって立設等させた状態で使用されるため、リード線５４２の強度を十分に備えているからである。
発光素子５４の数は１個のみでもよいし、複数個であってもよい。また、複数個において、発光色は１色でもよいし複数の色を用いてもよい。また、１個の発光素子５４で複数色を発光できるものが使用されてもよい。
【００１８】
スイッチ５５は、装着者が装飾部４の外部から操作することによって制御回路５２の動作を変えるために備えられる。スイッチ５５の種類や形状は問わず、例えば、押しボタン型スイッチ、スライドスイッチ、タッチセンサ等を用いることができる。
【００１９】
装飾部４に発光部５を固定する方法は特に問わず、例えば、装飾部４に発光部５を嵌め込む凹部を形成し、その凹部に発光部５を嵌め込み、嵌合固定することを挙げることができる。また、ネジ止め、熱融着、接着剤による接着等を挙げることができる。
図１〜３に示された例においては、装飾部４の前記構成部品の一方であって人の左右方向の中央部内側に、発光部５を嵌め込むための嵌合部４１が形成されており、発光部５は、嵌合部４１に嵌め込まれることにより装飾部４に固定される。
【００２０】
また、発光部５が具備する、配線基板５１上の制御回路５２、電池５３、発光素子５４及びスイッチ５５の配置は特に限定されないが、スイッチ５５のオン・オフが容易であること、発光素子５４が視認し易いこと、及び発光部５全体をまとめて取り扱いやすい形態とすること、等の観点で配置することが好ましい。例えば、配線基板５１の一方の面にスイッチ５５を配置し、他方の面に複数の電池５３を直列接続となるように積層して配置することができる。嵌合部４１に、電池を挿入して嵌め込むための円筒形状の電池収納孔を形成しておき、発光部５は、電池収納孔に電池を挿入して嵌め込むことにより装飾部４に固定されるようにすることができる。このような構造とすれば、一体化された発光部５全体を装飾部４に固定することができる。
【００２１】
図１に示されているのは以上のような発光装身具１の具体例であり、発光装身具１は、内部が中空であるリボン形状の装飾部４を備えるヘアバンドであり、図２、図３に示されているように、バンド部２と装飾部４は２箇所の結合部６を介して嵌合して固定されている。
また、装飾部４の一方の構成部品の中央には図３に示されているように円形孔の嵌合部４１が設けられている。この嵌合部４１に、図２に示されているような発光部５の積層されている電池５３を差し込むことで、発光部５が嵌合固定されている。そして、押しボタン型のスイッチ５５には、装飾部４のスイッチ孔４２を挿通するスイッチカバー７が被せられており、装着者は装飾部４の外からスイッチカバー７を押し込むことで操作することができる。
【００２２】
図４〜６は、発光部５の具体的な例を表している。発光部５は、配線基板５１の一面側に、制御用ＩＣを含めた制御回路５２と、３個の発光素子５４と、スイッチ５５と、が取り付けられ、他面側に３つのボタン型電池５３が搭載されて構成されている。
各発光素子５４は、そのリード線５４２が配線基板５１の基板面の面方向に伸びるように取り付けられている。リード線５４２は配線基板５１の周縁部で半田付けされており、リード線５４２によって配線基板５１から一定の距離だけ離された状態で支持されている。
スイッチ５５は、弾性を備えた材質のドームに導電材５７が設けられており、押されたときに導電材が配線基板５１上の２つの電極間（図示せず）を短絡させることにより導通する。
電池５３は、複数のボタン型電池が積み重ねられるような状態で配線基板５１の他方の面に搭載されており、フレームを兼ねた電池電極５６によって固定されている。
【００２３】
発光装身具１は、装飾部４の外からスイッチカバー７を押し込むことでスイッチ５５を押して、発光素子５４の点滅制御をすることができる。発光素子５４の点滅制御は、制御回路５２により制御され、消灯の状態から、スイッチ５５を押すたびに、複数の点滅パターン及び消灯状態に切り替えることができる。
このような発光装身具１は、バンド部２に発光部５を構成する部品を設けたり、配線等を施したりする必要がなく、バンド部２に装飾部４を固定するだけでよいため、製造が容易である。また、頻繁に意匠を変更する装飾部４に合うようにバンド部２の形状を変えたり、発光部５の配線を変更したりする必要がなく、設計が容易である。
また、発光素子５４は、パッケージから延出するリード線によって基板から延出するように設けられている。発光素子５４である砲丸型ＬＥＤ素子に用いられるリード線は、通常ＬＥＤ素子自身を支えるために十分な強度を備えており、パッケージがリード線のみによって支持されていても配線基板から脱落したり、衝撃によって変形したりすることがない。
【００２４】
尚、本考案においては、以上に示した実施形態に限られず、目的、用途に応じて本考案の範囲内で種々変更した態様とすることができる。
【符号の説明】
【００２５】
１；発光装身具、２；バンド部、４；装飾部、４１；嵌合部、４２；スイッチ孔、５；発光部、５１；配線基板、５２；制御回路、５３；電池、５４；発光素子、５４１；発光素子本体、５４２；リード線、５５；スイッチ、５６；電池電極、６；結合部、７；スイッチカバー。
【図１】
0003196449.tif 000003
【図２】
0003196449.tif 000004
【図３】
0003196449.tif 000005
【図４】
0003196449.tif 000006
【図５】
0003196449.tif 000007
【図６】
0003196449.tif 000008
【手続補正書】
【提出日】平成27年1月13日(2015.1.13)
【手続補正１】
【補正対象書類名】実用新案登録請求の範囲
【補正対象項目名】全文
【補正方法】変更
【補正の内容】
【実用新案登録請求の範囲】
【請求項１】
人の頭部に固定するためのバンド部と、前記バンド部に固定される透光性の装飾部と、前記装飾部内に設けられてスイッチ操作により発光する発光部とを備える発光装身具であって、
前記発光部は、配線基板と、前記配線基板に配設される制御回路と、前記配線基板に配設され前記制御回路に接続されている電池及び１以上の発光素子と、前記配線基板上に配設され、前記装飾部の外から操作可能に配設されているスイッチと、を備えて一体として構成され、
前記発光素子は、発光素子本体と、前記発光素子本体から延出されているリード線とを具備し、
前記発光素子本体は、前記リード線によって前記配線基板から離れた位置に支持されていることを特徴とする発光装身具。
【請求項２】
前記装飾部は、内部が中空であり、且つ前記人の前後方向に平たい形状であって、前記前後方向に２つに分割された構成部品により構成され、
前記構成部品の一方であって前記人の左右方向の中央部内側に前記発光部を嵌め込むための嵌合部が形成されており、
前記発光部は、前記嵌合部に嵌め込まれることにより前記装飾部に固定される請求項１記載の発光装身具。
【請求項３】
前記発光素子は砲丸型ＬＥＤ素子であり、前記リード線が前記配線基板の基板面の面方向に伸びるように取り付けられており、
前記発光部は、前記配線基板の基板面の面方向が前記左右方向となるように前記嵌合部に嵌め込まれている請求項２に記載の発光装身具。
【請求項４】
前記構成部品の他方には、前記左右方向の中央部分に前記スイッチを操作するためのスイッチ孔が形成されており、
前記スイッチは、前記配線基板の一方の面上であって前記スイッチ孔に対応する位置に配設される押しボタン型スイッチである請求項２又は３のいずれかに記載の発光装身具。
【請求項５】
前記電池は１以上のボタン型電池であって、前記配線基板の他方の面上に積み重ねて固定されており、
前記嵌合部には、前記電池を挿入して嵌め込むための円筒形状の電池収納孔が形成されており、
前記発光部は、前記電池収納孔に前記電池を挿入して嵌め込むことにより前記装飾部に固定される請求項２乃至４のいずれかに記載の発光装身具。
【手続補正２】
【補正対象書類名】明細書
【補正対象項目名】０００５
【補正方法】変更
【補正の内容】
【０００５】
本考案は、以下の通りである。
１．人の頭部に固定するためのバンド部と、前記バンド部に固定される透光性の装飾部と、前記装飾部内に設けられてスイッチ操作により発光する発光部とを備える発光装身具であって、前記発光部は、配線基板と、前記配線基板に配設される制御回路と、前記配線基板に配設され前記制御回路に接続されている電池及び１以上の発光素子と、前記配線基板上に配設され、前記装飾部の外から操作可能に配設されているスイッチと、を備えて一体として構成され、前記発光素子は、発光素子本体と、前記発光素子本体から延出されているリード線とを具備し、前記発光素子本体は、前記リード線によって前記配線基板から離れた位置に支持されていることを特徴とする発光装身具。
２．前記装飾部は、内部が中空であり、且つ前記人の前後方向に平たい形状であって、前記前後方向に２つに分割された構成部品により構成され、前記構成部品の一方であって前記人の左右方向の中央部内側に前記発光部を嵌め込むための嵌合部が形成されており、前記発光部は、前記嵌合部に嵌め込まれることにより前記装飾部に固定される前記１．記載の発光装身具。
３．前記発光素子は砲丸型ＬＥＤ素子であり、前記リード線が前記配線基板の基板面の面方向に伸びるように取り付けられており、前記発光部は、前記配線基板の基板面の面方向が前記左右方向となるように前記嵌合部に嵌め込まれている前記２．に記載の発光装身具。
４．前記構成部品の他方には、前記左右方向の中央部分に前記スイッチを操作するためのスイッチ孔が形成されており、前記スイッチは、前記配線基板の一方の面上であって前記スイッチ孔に対応する位置に配設される押しボタン型スイッチである前記２．又は３．に記載の発光装身具。
５．前記電池は１以上のボタン型電池であって、前記配線基板の他方の面上に積み重ねて固定されており、前記嵌合部には、前記電池を挿入して嵌め込むための円筒形状の電池収納孔が形成されており、前記発光部は、前記電池収納孔に前記電池を挿入して嵌め込むことにより前記装飾部に固定される前記２．乃至４．のいずれかに記載の発光装身具。